(57)【要約】【課題】一実施形態によれば、複数インタフェースユーザ装置の第１のインタフェースと通信するように構成された第１のネットワークを動作させる方法が開示される。【解決手段】第１のネットワークはユーザ装置から第１のメッセージを受信し、ここで、第１のメッセージは、ユーザ装置に対するメッセージが第２のネットワークを介して転送されることを要求する。第１のネットワークは、ユーザ装置に対する第２のメッセージを受信し、第２のメッセージを第２のネットワークに転送する。【選択図】図２
2013169015.tif 000002
【特許請求の範囲】
【請求項１】
複数インタフェースユーザ装置の第１のインタフェースと通信するように構成された第１のネットワークを動作させる方法であって、
前記第１のネットワークが、前記ユーザ装置から、前記ユーザ装置に対するメッセージが第２のネットワークを介して転送されることを要求する第１のメッセージを受信することと、
前記第１のネットワークが、ユーザ装置に対する第２のメッセージを受信することと、
前記第１のネットワークが、前記第２のメッセージを前記第２のネットワークに転送することと、
を含む、方法。
【請求項２】
前記第２のメッセージを転送することは、前記第２のネットワークへのリンクを確立することを含む、
請求項１に記載の方法。
【請求項３】
前記第２のネットワークへのリンクを確立することは、前記第１のネットワークと前記第２のネットワークとの間のバインディングを確立することを含む、
請求項２に記載の方法。
【請求項４】
前記第１のネットワークが前記第２のメッセージを前記第２のネットワークに転送することは、前記第１のネットワークのルータに結合されたホームエージェントによって実行される、
請求項１に記載の方法。
【請求項５】
前記第１のネットワークが、前記第２のメッセージを前記第２のネットワークに転送することは、ＩＰ−ｉｎ−ＩＰトンネリングを使用することを含む、
請求項１に記載の方法。
【請求項６】
複数インタフェースユーザ装置の第１のインタフェースと通信するように構成された第１のネットワークを動作させる方法であって、
第２のネットワークから前記複数インタフェースユーザ装置に対して転送されたメッセージを受信することと、
前記メッセージを前記複数インタフェースユーザ装置のうちの前記第１のインタフェースに転送することと、
を含む、方法。
【請求項７】
前記第２のネットワークからバインディング要求を受信することを更に含む、
請求項６に記載の方法。
【請求項８】
前記方法は、基地局プロセッサ上で実行される、
請求項６に記載の方法。
【請求項９】
受信することは、前記第１のネットワークのホームエージェントが、前記第２のネットワークのホームエージェントから前記メッセージを受信することを含む、
請求項６に記載の方法。
【請求項１０】
第１のネットワーク上で動作する第１のインタフェースと、第２のネットワーク上で動作する第２のインタフェースとを含むユーザ装置を動作させる方法であって、
前記第２のインタフェースをシャットダウンすることを含み、該第２のインタフェースをシャットダウンすることは、
前記第２のインタフェースが前記第２のネットワークに、前記第１のインタフェースにメッセージを転送するよう前記第２のネットワークに要求するリダイレクト要求を送信することと、
前記第２のインタフェースを前記第２のネットワークによって到達不可能な状態にすることと、
前記第１のインタフェースを前記第１のネットワークによって到達可能な状態にすることと、を含む、
方法。
【請求項１１】
前記第１のインタフェースが前記第２のネットワークから転送されたメッセージを受信することと、
前記第２のインタフェースが前記転送されたメッセージに応えて、前記第２のインタフェースが前記第２のネットワークによって到達可能な状態になることを含むオンになることと、
を更に含む、
請求項１０に記載の方法。
【請求項１２】
前記第１のインタフェースが前記第２のネットワークから前記転送されたメッセージを受信することは、インターネットプロトコル（ＩＰ）モビリティを使用して、前記第１のネットワーク及び第３のネットワークを介して、前記転送されたメッセージを受信することを含む、
請求項１１に記載の方法。
【請求項１３】
前記リダイレクト要求は、前記第１のネットワークを介して前記第１のインタフェースにメッセージを転送するよう前記第２のネットワークに更に要求する、
請求項１０に記載の方法。
【請求項１４】
前記第２のネットワークに前記リダイレクト要求を送信することは、バインディング要求を行うことを含む、
請求項１０に記載の方法。
【請求項１５】
前記第２のネットワークによって到達不可能な状態は、電源がオフにされた状態を含み、
前記第１のネットワークによって到達可能な状態は、スリープ状態を含む、
請求項１０に記載の方法。
【請求項１６】
無線通信システムであって、
第１のネットワーク上の転送エージェントを備え、該転送エージェントは、
複数インタフェースユーザ装置の第１のインタフェースと通信し、
前記ユーザ装置から、前記ユーザ装置に対するメッセージが第２のネットワークを介して転送されることを要求する第１のメッセージを受信し、
前記ユーザ装置に対する第２のメッセージを受信し、
前記第２のメッセージを前記第２のネットワークに転送するように構成される、
無線通信システム。
【請求項１７】
前記転送エージェントは、更に、
前記第２のネットワークから前記ユーザ装置に対する第３のメッセージを受信し、
前記第３のメッセージを前記ユーザ装置の前記第１のインタフェースに転送するように構成される、
請求項１６に記載の無線通信システム。
【請求項１８】
前記転送エージェントはプロセッサを備え、
前記プロセッサは、前記第１及び第２のメッセージを処理するように構成される、
請求項１６に記載の無線通信システム。
【請求項１９】
前記転送エージェントは、前記第２のネットワークとの通信リンクを確立するように構成される、
請求項１６に記載の無線通信システム。
【請求項２０】
前記転送エージェントは、前記第１のネットワークのルータに結合されたプロセッサを備える、
請求項１６に記載の無線通信システム。
【請求項２１】
前記転送エージェントは、前記第１のネットワーク上の第１の基地局を介して、前記ユーザ装置と通信するように構成される、
請求項１６に記載の無線通信システム。
【請求項２２】
無線ユーザ装置であって、
第１のネットワークと通信するように構成された第１のインタフェースと、
第２のネットワークと通信するように構成された第２のインタフェースと、
を備え、
前記第２のネットワークに、前記第１のインタフェースにメッセージを転送するよう前記第２のネットワークに要求するリダイレクト要求を送信し、
前記第２のインタフェースを前記第２のネットワークによって到達不可能な状態にし、
前記第１のインタフェースを前記第１のネットワークによって到達可能な状態にするように構成される、
無線ユーザ装置。
【請求項２３】
前記無線ユーザ装置は、更に、
前記第２のネットワークからの転送されたメッセージを前記第１のインタフェースにおいて受信し、
前記転送されたメッセージに応えて前記第２のインタフェースをアクティブにするように構成される、
請求項２２に記載の無線ユーザ装置。
【請求項２４】
前記第２のネットワークによって到達不可能な状態は、電源がオフにされた状態を含み、
前記第１のネットワークによって到達可能な状態は、スリープ状態を含む
請求項２２に記載の無線ユーザ装置。
【請求項２５】
前記無線ユーザ装置は、セルラ電話機を含む、
請求項２２に記載の無線ユーザ装置。
【発明の詳細な説明】
【技術分野】
【０００１】
本発明は、通信システムに関し、特に、複数インタフェース装置のアクティブなインタフェースにメッセージをリダイレクトするシステム及び方法に関する。
【背景技術】
【０００２】
無線通信システムは、セルラ電話機、ラップトップコンピュータ、及び種々のマルチメディア装置などの様々なアクセス端末を使用する複数のユーザに音声及びデータサービスを提供するために広く使用されている。そのような通信システムは、ＩＥＥＥ８０２．１１ネットワークなどのローカルエリアネットワーク、セルラ電話及び／又はモバイルブロードバンドネットワークを含むことが可能である。この通信システムは、１つ以上の複数のアクセス技術（例えば、周波数分割多元接続（ＦＤＭＡ）、時分割多元接続（ＴＤＭＡ）、符号分割多元接続（ＣＤＭＡ）、直交周波数分割多元接続（ＯＦＤＭＡ）、シングルキャリア周波数分割多元接続（ＳＣ−ＦＤＭＡ）及びその他）を使用することが可能である。モバイルブロードバンドネットワークは、多くのシステムタイプ又はパートナーシップ（汎用パケット無線サービス（ＧＰＲＳ）、第３世代標準（３Ｇ）、ワールドワイド・インターオペラビリティ・フォー・マイクロウェーブ・アクセス（ＷｉＭＡＸ）、ユニバーサル・モバイル・テレコミュニケーションズ・システム（ＵＭＴＳ）、第３世代パートナーシッププロジェクト（３ＧＰＰ）、ＩＥＥＥ８０２．１１ネットワーク、エボリューションデータオプティマイズドＥＶ−ＤＯ、ロングタームエボリューション（ＬＴＥ）など）に準拠することが可能である。
【０００３】
無線ネットワークがますます普及するにつれて、多くのユーザ装置は、現在では、２つ以上の無線ネットワークにアクセスするように構成されている。
【発明の概要】
【発明が解決しようとする課題】
【０００４】
ユーザ装置内の複数のインタフェースが同じバッテリを共有する場合で、かつ、電力消費が各個々のインタフェース技術内のみで最適化される場合、ユーザ装置は、１つのインタフェースを有するユーザ装置より多くの電力を消費し、その理由は、全てのインタフェースが、同時にアクティブである可能性があり、かつ／又は、それらのそれぞれのネットワークの各々から周期的に伝送を受信する可能性があるからである。複数インタフェース装置の電力消費をより良好に利用するシステム及び方法が、無線通信システムの分野において必要とされている。
【課題を解決するための手段】
【０００５】
一実施形態によれば、複数インタフェースユーザ装置の第１のインタフェースと通信するように構成された第１のネットワークを動作させる方法が開示される。第１のネットワークはユーザ装置から第１のメッセージを受信し、ここで、第１のメッセージは、ユーザ装置に対するメッセージが第２のネットワークを介して転送されることを要求する。第１のネットワークはユーザ装置に対する第２のメッセージを受信し、第２のメッセージを第２のネットワークに転送する。
【０００６】
別の実施形態によれば、複数インタフェースユーザ装置の第１のインタフェースと通信するように構成された第１のネットワークを動作させる方法が開示される。この方法は、第２のネットワークから複数インタフェースユーザ装置に対する転送されたメッセージを受信し、メッセージを複数インタフェースユーザ装置の第１のインタフェースに転送することを含む。
【０００７】
別の実施形態によれば、第１のネットワーク上で動作する第１のインタフェースと第２のネットワーク上で動作する第２のインタフェースとを含むユーザ装置を動作させる方法は、第２のインタフェースをシャットダウンすることを含む。第２のインタフェースをシャットダウンすることは、第１のインタフェースにメッセージを転送するよう第２のネットワークに要求するリダイレクト要求を第２のインタフェースが第２のネットワークに送信することを含む。第２のインタフェースは次に第２のネットワークによって到達不可能な状態にされ、第１のインタフェースは第１のネットワークによって到達可能な状態にされる。
【０００８】
別の実施形態によれば、無線通信システムは、第１のネットワーク上の転送エージェントを含む。転送エージェントは、複数インタフェースユーザ装置の第１のインタフェースと通信し、ユーザ装置から第１のメッセージを受信するように構成され、ここで、第１のメッセージは、ユーザ装置に対するメッセージが第２のネットワークを介して転送されることを要求する。転送エージェントは、ユーザ装置に対する第２のメッセージを受信し、第２のメッセージを第２のネットワークに転送するように更に構成される。
【０００９】
別の実施形態によれば、無線ユーザ装置は、第１のネットワークと通信するように構成された第１のインタフェースと、第２のネットワークと通信するように構成された第２のインタフェースとを含む。無線ユーザ装置は、第２のネットワークにリダイレクト要求を送信し（ここで、リダイレクト要求は、第１のインタフェースにメッセージを転送するよう第２のネットワークに要求し）、第２のインタフェースを第２のネットワークによって到達不可能な状態にし、第１のインタフェースを第１のネットワークによって到達可能な状態にするように構成される。
【００１０】
以下の本発明の詳細な説明がより良く理解されるように、上記では、本発明の実施形態の特徴について幾分おおまかに概説した。本発明の特許請求の範囲の主題を形成する、本発明の実施形態の追加の特徴及び利点は、以下に記載される。開示される概念及び特定の実施形態は、本発明と同じ目的を達成するために、他の構成又はプロセスを修正又は設計するための基礎として、容易に利用されることが可能であるということを、当業者は理解されたい。そのような均等な構成は、添付の特許請求の範囲に記載された、本発明の精神及び範囲から逸脱するものではないということも、当業者は理解されたい。
【図面の簡単な説明】
【００１１】
本発明、及びその利点のより完全な理解のために、以下の説明を、添付の図面と組み合わせて参照する。
【００１２】
特に指定しない限り、異なる図中の対応する数字及び記号は、一般に、対応する部分を表す。図は、実施形態の関連する側面を明確に示すように描かれており、必ずしも一定の縮尺で描かれてはいない。
【００１３】
【図１】従来技術によるモバイルブロードバンドシステムの図を示す。
【図２】実施形態の複数インタフェースユーザ装置を示す。
【図３】実施形態の複数インタフェースユーザ装置の図を示す。
【図４】実施形態の複数インタフェースユーザ装置の接続図を示す。
【図５】実施形態の複数インタフェースユーザ装置の接続図を示す。
【図６】実施形態の複数インタフェースユーザ装置の接続図を示す。
【図７】実施形態の複数インタフェースユーザ装置の接続図を示す。
【図８】実施形態のネットワークのブロック図を示す。
【図９】実施形態の複数インタフェースユーザ装置を示す。
【図１０】実施形態の基地局を示す。
【図１１】実施形態のユーザ装置を示す。
【発明を実施するための形態】
【００１４】
様々な実施形態の作製及び使用について、以下に詳細に説明する。しかし、本発明は、様々な特定の状況において実施されることが可能な多くの適用可能な発明概念を提供するということを理解されたい。説明する特定の実施形態は、本発明を作製及び使用する特定の方法を例示するものにすぎず、本発明の範囲を限定するものではない。
【００１５】
本発明の実施形態は、特定の状況における実施形態（例えば、複数インタフェース装置のアクティブなインタフェースにメッセージをリダイレクトするシステム及び方法）に関して記載される。
【００１６】
無線ネットワークがますます普及するにつれて、多くのユーザ装置は、現在では、２つ以上の無線ネットワークにアクセスするように構成されている。図１に示すように、ユーザ装置１０２は、３つのネットワーク（例えば、ＩＥＥＥ８０２．１１ネットワーク１０４、ＩＥＥＥ８０２．１６ネットワーク１０６、及び３ＧＰＰネットワーク１０８）にアクセスするように構成される。そのような複数インタフェース装置において、各インタフェースは、異なるネットワーク技術（例えば、以下に限定されないが、ＧＳＭ（登録商標）、ＧＰＲＳ、ＬＴＥ、ＷｉＭＡＸ、ＣＤＭＡ２０００、ＷＬＡＮなど）を含んでもよい。これらの個々の無線技術は、様々な無線アクセス技術（以下に限定されないが、ＴＤＭＡ、ＣＤＭＡ、又はＯＦＤＭＡを含む）を使用してもよい。
【００１７】
実施形態では、複数インタフェース装置の少なくとも１つのインタフェースをアクティブに維持する一方、その他のインタフェースをシャットオフすることによって、複数インタフェース装置内の省電力が達成される。オフにされたインタフェースに宛てられた呼接続要求又はその他の要求は、アクティブなインタフェースにリダイレクトされる。アクティブなインタフェースは、オフにされたインタフェースに元もとは宛てられた接続要求を受信すると、アプリケーションの要求、ユーザの嗜好又はその他の基準に応じて、メッセージを受信するようにオフにされたインタフェースを起動するか、又は、オフにされたインタフェースの代わりに呼を処理する。アクティブなインタフェースは、呼要求を受信することが可能な任意の電力状態（例えば、スリープ状態又はアイドル状態）であってもよい。
【００１８】
省電力を達成する実施形態のシステム及び方法の説明は、２０１０年２月２６日に出願された「Ｓｙｓｔｅｍ  ａｎｄ  Ｍｅｔｈｏｄ  ｏｆ  Ｐｏｗｅｒ  Ｍａｎａｇｅｍｅｎｔ  ｆｏｒ  ａ  Ｄｅｖｉｃｅ  ｗｉｔｈ  Ｍｕｌｔｉｐｌｅ  Ｎｅｔｗｏｒｋ  Ｉｎｔｅｒｆａｃｅｓ（複数のネットワークインタフェースを有する装置の電力管理のシステム及び方法）」と題された米国特許出願第１２／７１４，２７８号明細書、２００９年３月６日に出願された「Ａｎ  Ｏｖｅｒｌａｐ  Ｐｏｗｅｒ  Ｍａｎａｇｅｍｅｎｔ  ｆｏｒ  Ｄｅｖｉｃｅ  ｗｉｔｈ  Ｍｕｌｔｉｐｌｅ  Ｎｅｔｗｏｒｋ  Ｉｎｔｅｒｆａｃｅｓ  Ｅａｃｈ  ｗｉｔｈ  Ｉｔｓ  Ｏｗｎ  Ｐｏｗｅｒ  Ｍａｎａｇｅｍｅｎｔ（それぞれが独自の電力管理を有する複数のネットワークインタフェースを有する装置のオーバーラップ電力管理）」と題された米国仮特許出願第６１／１５８，２０６号明細書、２００９年５月１１日に出願された「Ｓｙｓｔｅｍ  ａｎｄ  Ｍｅｔｈｏｄ  ｏｆ  Ｐｏｗｅｒ  Ｍａｎａｇｅｍｅｎｔ  ｆｏｒ  ａ  Ｄｅｖｉｃｅ  ｗｉｔｈ  Ｍｕｌｔｉｐｌｅ  Ｎｅｔｗｏｒｋ  Ｉｎｔｅｒｆａｃｅｓ（複数のネットワークインタフェースを有する装置の電力管理のシステム及び方法）」と題された米国仮特許出願第６１／１７７，１７１号明細書、及び、２００９年５月１２日に出願された「Ｃｅｎｔｒａｌｉｚｅｄ  Ｐｏｗｅｒ  Ｍａｎａｇｅｍｅｎｔ  ｆｏｒ  Ｄｅｖｉｃｅ  ｗｉｔｈ  Ｍｕｌｔｉｐｌｅ  Ｎｅｔｗｏｒｋ  Ｉｎｔｅｒｆａｃｅｓ（複数のネットワークインタフェースを有する装置の集中型電力管理）」と題された米国仮特許出願第６１／１７７，５５９号明細書において更に見い出されることが可能であり、当該出願の全てはそれらの全体が参照により本明細書中に援用される。
【００１９】
本発明の一実施形態では、接続要求をアクティブなインタフェースにリダイレクトする方法は、モバイルＩＰ技術に類似しているが、モバイルＩＰ技術とは別個のものである。接続要求のこのリダイレクトは、モバイルＩＰ技術とは独立しており、従って、モバイルＩＰと組み合わせて使用することが可能である。モバイルＩＰと共に又はモバイルＩＰなしで、接続要求をリダイレクトし、後でリダイレクトを取り消す方法について、本明細書に記載する。
【００２０】
図２は、装置２００が２つのインタフェースを有する従来の構成を示す。一方のインタフェースはＩＥＥＥ８０２．１６ネットワークに結合され、もう一方のインタフェースは３ＧＰＰ又は３ＧＰＰ２ネットワークに結合される。電話機がアクティブに使用されていない場合、両方のインタフェースがスリープモード又は別の省電力モードにあり、それらのモードにおいて、電話機インタフェースはそれらのそれぞれのネットワークから周期的メッセージを受信することが可能である。例えば、スリープモードにおいて、電話機はレシーバを周期的にオンにし、又は、レシーバをパワーアップ状態に保ち、これにより、電話機はそれぞれのネットワークからの伝送を受信することが可能である。しかし、ユーザ装置２００の両方のインタフェースがそのようなモードにある場合、バッテリは１つのインタフェースを有する電話機にスリープモードにおいて供給しているバッテリよりも速く消耗する可能性がある。
【００２１】
本発明の一実施形態では、複数インタフェース装置のための電力管理システムが、アクティブに使用されていないいくつかのインタフェースをシャットオフし、「オフ」のインタフェースに向けられた呼接続要求又はその他の要求及びメッセージをアクティブなインタフェースにリダイレクトし、これにより、装置は、複数のインタフェースについて信号ハンドシェークを継続することが可能である。図３は、１つのインタフェースがオフにされており、「オフ」のインタフェースへの接続要求がネットワークを介して「スリープ」モードのインタフェースにリダイレクトされる実施形態のユーザ装置３００を示す。いくつかの実施形態では、ユーザ装置３００は、オフにされたインタフェースを介してその装置との接続を確立しようと試みているコレスポンデントノード（ＣＮ）としての別の装置にとって、オフのインタフェースがあたかも「スリープ」状態にあるかのように見えてもよい。いくつかの実施形態では、「スリープ」モードにある１つのインタフェースと、「オフ」にされた少なくとも１つのその他のインタフェースとを有するユーザ装置３００は、両方のネットワーク（例えば、８０２．１６ネットワーク、及び３ＧＰＰ又は３ＧＰＰ２ネットワーク）がユーザ装置３００にメッセージを送信できるという点で、図２のユーザ装置２００として振る舞う。しかし、ユーザ装置３００の電力消費はユーザ装置２００の電力消費より低く、その理由は、インタフェースのうちの１つが「スリープ」モードにある代わりにシャット「オフ」されているからである。
【００２２】
本発明の実施形態は、１つ又は少なくとも１つのインタフェースをアクティブに維持することを含む。アクティブなインタフェースは、接続要求を受信することが可能なスリープ又はアイドル状態などの任意の電力状態であってもよい。
【００２３】
複数のインタフェースは、様々なＩＰアドレスとの様々なネットワーク接続を確立してもよい。図２のユーザ装置２００について示されたネットワーク接続に対応するＩＰアドレスＨｏＡ１及びＨｏＡ２をそれぞれ有する２つのインタフェースＩＦ１及びＩＦ２を備える実施形態の構成の一例を図４に示す。インタフェースＩＦ２がオフにされる前に、ユーザ装置２００は、入力メッセージをアドレスＨｏＡ１にリダイレクトするためのメッセージをネットワークに送信する。
【００２４】
図３のユーザ装置３００を、３ＧＰＰ又は３ＧＰＰ２ネットワークへのインタフェースがシャットオフされている場合でも、８０２．１６ネットワーク、及び３ＧＰＰ又は３ＧＰＰ２ネットワークの両方からのメッセージに応答できるようにするために、いくつかの実施形態では、転送メカニズムを使用する。いくつかの実施形態では、転送メカニズムは、既存のかつ利用可能な転送メカニズム（例えば、モビリティ技術において使用される転送メカニズム）を使用する。
【００２５】
いくつかの実施形態では、図５に示すように、モバイルＩＰ技術が転送メカニズムとして使用される。一実施形態では、ユーザ装置（図３を参照）は訪問先ネットワークに移動した場合に、アドレスＣｏＡ２を有するパケットを受信する接続リンクを取得し、これにより、ＨｏＡ２とＣｏＡ２との間にバインディングが存在する。アドレスＨｏＡ２に向けられたトラフィックは、ＩＦ２のホームネットワーク内のホームエージェント（ＨＡ）又はローカルモビリティアンカー（ＬＭＡ）によって傍受され（intercept）、ＩＰ−ｉｎ−ＩＰトンネリングを使用してＣｏＡ２に転送される。すなわち、ＨｏＡ２に宛てられたＩＰパケットは、宛先アドレスとしてＣｏＡ２を有する外側ＩＰヘッダの内側にカプセル化される。本発明の実施形態は、元はＩＦ２に向けられた接続要求がＩＦ１に転送されるように、同様の転送メカニズムを使用する。
【００２６】
一実施形態では、ＩＦ２をオフにし、そのメッセージをＩＦ１に転送するメカニズムは、モバイルＩＰメカニズムとは別個のものである。この実施形態では、このメカニズムとモバイルＩＰとは相互に干渉せず、従って、システムは、モビリティのために、プロキシモバイルＩＰ（ＰＭＩＰ）を含む様々な変形におけるモバイルＩＰを継続して使用することが可能である。本発明の実施形態は、従って、ＩＦ１が、そのホームネットワーク内又は訪問先ネットワーク内のいずれにあることも可能である方法を含む。加えて、ＩＦ２も、そのホームネットワーク内又は訪問先ネットワーク内のいずれにあることも可能である。
【００２７】
図６は、ＩＦ１がそのホームネットワーク内にある本発明の一実施形態を示す。ＩＦ２をオフにした場合、ＨｏＡ２のメッセージをＨｏＡ１に転送するために、ＨｏＡ２とＨｏＡ１との間にバインディングがセットアップされ、これは、いくつかの実施形態では、図５のＩＰモビリティにおけるＨｏＡ２とＣｏＡ２との間のバインディングに類似している。ＩＦ２をオフにする前に、ＩＦ２は、そのホームネットワーク内のホームエージェント（ＨＡ）又はローカルモビリティアンカー（ＬＭＡ）にバインディング要求を行う。ＨｏＡ２に向けられた接続要求は次にＨＡ又はＬＭＡによって傍受され、ＨＡ又はＬＭＡは次にこの接続要求をＨｏＡ１にトンネリングする。このＩＰ−ｉｎ−ＩＰパケットは、ＨｏＡ１という宛先アドレスを有する。接続要求は、従って、ＩＦ１にサービスを提供するネットワークを介してＩＦ１に達する。
【００２８】
一実施形態では、アクティブなインタフェースＩＦ１がスリープモードにある場合、ＩＦ１にサービスを提供するネットワークに転送されたＩＦ２への接続要求により、ネットワークが、メッセージを受信するようにＩＦ１を起動する。装置が、受信されたメッセージのＩＰ−ｉｎ−ＩＰ外側ヘッダを開いた場合、装置は、パケットがＩＦ２への接続要求を含むことを見い出す。装置は、次に、ＩＦ２の代わりにＩＦ１を使用して呼を処理するか、又は、ＩＦ２を使用して呼を受信するためにＩＦ２を起動するかを決定する。一実施形態では、決定は、アプリケーション要求、インタフェースの能力、ユーザの嗜好、電力消費についての考慮又はその他の基準に依存する。
【００２９】
一実施形態の例では、ＩＦ１は３ＧＰＰ  ＬＴＥインタフェースであり、ＩＦ２はＷｉＦｉインタフェースである。入力接続招待（ｉｎｃｏｍｉｎｇ  ｉｎｖｉｔａｔｉｏｎ  ｔｏ  ｃｏｎｎｅｃｔ）がＨｏＡ２に送信される。一実施形態では、招待はＶｏＩＰセッションのためのものであり、ＶｏＩＰのために必要とされるビットレートは非常に低く、従って、いずれのインタフェースも呼を処理することが可能である。ＷｉＦｉネットワークへの無制限のアクセスを有するが、ＬＴＥネットワークへのアクセスはデータ量に応じて課金されるユーザプランにユーザが入っている場合、ユーザの嗜好に従って動作する装置が呼を処理するためにＩＦ２を起動してもよい。ところが、装置がそのときＷｉＦｉサービスを利用できない位置にある場合、装置はＩＦ１を使用して呼を処理してもよい。装置が接続要求に応答するためにＩＦ２を起動することを決定した場合、装置はネットワークに接続するためにＩＦ２を起動する。
【００３０】
別の実施形態では、ＩＦ１が訪問先ネットワーク内にある一方、ＩＦ２はオフにされている。ＨｏＡ２へのメッセージはＩＦ２のホームネットワーク内のＨＡ又はＬＭＡによって傍受され、メッセージは、外側ヘッダ内の宛先アドレスとしてのＨｏＡ１を使用してトンネリングされる。いくつかの実施形態では、このカプセル化されたパケットは、ＨｏＡ１に宛てられた任意のその他の（カプセル化されていない）パケットとして振る舞う。ＩＦ１が訪問先ネットワーク内にある場合、ＨｏＡ１とＣｏＡ１との間のモバイルＩＰ（ＭＩＰ）バインディングが存在する。ＩＦ１のホームネットワーク内のＨＡ又はＬＭＡは、次に、すでにカプセル化されたパケットを、ＨｏＡ１に宛てられたカプセル化されていないパケットを傍受するのと同様の手法で傍受する。ＨＡ又はＬＭＡは、次に、すでにトンネリングされたパケットをアドレスＣｏＡ１にトンネリングする。すなわち、一実施形態では、すでにカプセル化されたパケットが、最も外側のヘッダ内の宛先アドレスＣｏＡ１を使用して再びカプセル化される。モバイルＩＰメカニズムに従って、このＩＰ−ｉｎ−ＩＰ−ｉｎ−ＩＰパケットは、ＩＦ１の訪問先ネットワーク内のフォーリンエージェントに到達する。フォーリンエージェントは、最も外側のヘッダを脱カプセル化し、宛先アドレスＨｏＡ１に従ってＩＦ１にパケットを配信する。ＩＦ１は、このパケットを再び脱カプセル化して、パケットがＩＦ２に属することを見い出す。図７は、この実施形態を説明する接続図を示す。
【００３１】
一実施形態では、ＩＦ２は起動される際に、そのホームネットワーク内又は訪問先ネットワーク内のいずれにあってもよい。ＩＦ２が起動された場合、バインディングアップデートがＩＦ２のホームネットワークに送信され、これにより、ＩＦ２のホームネットワーク内のＨＡ又はＬＭＡはメッセージをＩＦ１に転送しなくなる。
【００３２】
ＩＦ２が起動される際にそのホームネットワーク内にある一実施形態では、バインディングアップデートは、ＩＦ２のホームネットワーク内のＨＡ又はＬＭＡに送信され、これにより、ＨｏＡ２に向けられたメッセージは、図４に示すＩＦ２の構成に従ってＩＦ２に到達する。
【００３３】
別の実施形態では、ＩＦ２は起動される際に訪問先ネットワーク内にあり、そして、バインディングアップデートがＩＦ２のホームネットワーク内のＨＡ又はＬＭＡに送信され、これにより、ＨｏＡ２に向けられたメッセージは、図５に示すＩＦ２の構成に従ってモバイルＩＰトンネリングを使用してＩＦ２に到達する。
【００３４】
図８は、基地局８０２と通信状態にあるユーザ装置２００を示す一実施形態のネットワーク図を示す。基地局８０２はゲートウェイ８０４に結合され、ゲートウェイ８０４は次にルーティング機能８０８に結合される。ルータ又はルーティング機能８０８は、ホームエージェント（ＨＡ）８０６及びインターネット接続８１０と通信状態にある。本発明の実施形態では、ゲートウェイ８０４、ＨＡ８０６、及びルーティング機能８０８は、従来知られているネットワークハードウェア（以下に限定されないが、コンピュータプロセッサ及びメモリを有する、サーバ及びスイッチを含む）を使用して実施される。
【００３５】
一実施形態のＩＰネットワークでは、認証、認可、及び課金（ＡＡＡ）サーバがＩＰネットワークのための機能であるのと同様の方法で、ＨＡ８０６はＩＰネットワークのための論理機能である。一実施形態では、ＨＡ８０６はホームネットワーク内のルータ８０８に結合されるか又はルータ８０８の一部である。一実施形態では、ＨＡ８０６は、基地局よりネットワーク階層が高く、そして、ホームアドレスに送信されたパケットがＨＡ８０６によって傍受されるように、ネットワーク階層内に置かれる。一実施形態では、ＨＡ８０６は、モバイルノードの位置情報を維持するためのデータベース機能を有する。一実施形態のＷｉＭＡＸネットワークでは、例えば、ホームエージェント（ＨＡ）の位置は、ネットワークアクセスプロバイダネットワーク（ＮＡＰ）内である。代替の実施形態では、ＨＡ８０６はネットワークの異なる部分内に置かれる。
【００３６】
一実施形態では、ユーザ装置は、２つの別個のＩＰアドレスを有し、そして、入力呼を１つのインタフェースから別のインタフェースにリダイレクトするための呼リダイレクトメカニズムを有するネットワークに接続するように適合される。一実施形態では呼転送メカニズムはモバイルＩＰであるが、代替の実施形態では、異なる呼転送メカニズムが使用されてもよい。モバイルＩＰを使用する一実施形態では、ユーザ装置は、そのホームネットワーク内に設定されたパーマネントアドレスとしてのホームアドレス（ＨｏＡ）を有する。装置が、異なる（訪問先）ネットワークに移動した場合、装置はケアオブアドレス（ＣｏＡ）を取得する。一実施形態では、入力メッセージが宛先アドレスとしてＨｏＡを有するように、訪問先ネットワークはホームエージェントにＣｏＡに関して通知する。入力メッセージは、ホームネットワーク内のホームエージェントによって傍受される。ホームエージェントは次にパケットをＣｏＡに転送し、これにより、パケットはユーザ装置に到達する。一実施形態では、そのような転送は、宛先アドレスとしてＣｏＡを有する外側ＩＰヘッダを使用して、パケットをカプセル化することによって達成される。
【００３７】
様々な実施形態が、多くの状況において実施されてもよい。複数インタフェース装置において、各インタフェースは様々なネットワーク技術（例えば、以下に限定されないが、ＧＳＭ（登録商標）、ＧＰＲＳ、ＬＴＥ、ＷｉＭＡＸ、ＣＤＭＡ２０００、ＷＬＡＮ、及びその他）を含んでもよい。これらの個々の無線技術は、様々な無線アクセス技術（以下に限定されないが、ＴＤＭＡ、ＣＤＭＡ、又はＯＦＤＭＡを含む）を使用してもよい。一例において、図９は、各インタフェースについてネットワークアクセスを有する複数インタフェース装置を示す。各インタフェースは、必要とされる場合にアクティブであることが可能なように、アクティブに使用されていても又はいなくても、ネットワークへの接続を維持する。インタフェースがアクティブに使用されていない場合、そのインタフェースのネットワークへの接続は、一実施形態では、ハンドシェーキング信号を使用して維持される。インタフェースが、通常、低電力消費の状態（以下に限定されないが、スリープモード又は省電力モードなど）にある間、インタフェースはそのネットワーク接続を維持するために電力を消費し続ける。
【００３８】
一実施形態では、実施形態のアルゴリズムの部分は、図１０に示す無線基地局９００内で実施される。基地局９００は、トランスミッタ９０６及びレシーバ９０８に結合された基地局プロセッサ９０４と、ネットワークインタフェース９０２とを有する。トランスミッタ９０６及びレシーバ９０８は、カプラ９１０を介してアンテナ９１２に結合される。本発明の実施形態では、基地局９００は、例えば、ＯＦＤＭＡ下りリンクチャネルを使用するＬＴＥネットワーク内、ＩＥＥＥ８０２．１１ネットワーク、ＩＥＥＥ８０２．１６ネットワーク内又は３ＧＰＰネットワーク内で動作してもよい。代替の実施形態では、その他のシステム、ネットワークタイプ及び伝送方式が使用されてもよい（例えば、Ｗｉｍａｘ及び／又は１ＸＥＶ−ＤＯ）。
【００３９】
本発明の実施形態では、基地局プロセッサ９０４は、ユーザ装置との間で送受信されるメッセージをインタフェース状態に関連して処理する。一例においては、基地局プロセッサ９０４は、実施形態のアルゴリズムを、ページングシステム９１４内で又は別個の到達可能性制御システム（ｒｅａｃｈａｂｉｌｉｔｙ  ｃｏｎｔｒｏｌ  ｓｙｓｔｅｍ）を介して実施する。代替の実施形態では、ページングシステム９１４及び／又は到達可能性制御システムは、別個のハードウェア及び又は処理装置を使用して実施されてもよい。更なる実施形態では、実施形態のアルゴリズムは、様々なネットワーク内のプロセッサ間で、あるいは、有線又は無線ネットワークにより、又はインターネットを介して到達可能な専用の遠隔プロセッサによって、共有及び／又は分散される。
【００４０】
一実施形態の複数インタフェースユーザ装置１０００のブロック図を図１１に示す。ユーザ装置１０００は、例えば、セルラ電話機又はその他のモバイル通信装置（コンピュータ、又はネットワーク対応周辺装置など）として実施されてもよい。あるいは、ユーザ装置１０００は、無線ネットワーク接続性を有するデスクトップコンピュータなどの非モバイル装置であってもよい。ユーザ装置１０００は、モバイルプロセッサ１２０４と、ＩＥＥＥ８０２．１１インタフェース１２０６と、ＩＥＥＥ８０２．１６インタフェース１２０８と、３ＧＰＰインタフェース１２１０とを有する。これらのインタフェースのそれぞれは、トランスミッタ及びレシーバを含む。代替の実施形態では、より多くの又はより少ないインタフェースの様々な組み合わせも使用されてもよい。各インタフェース１００６、１００８及び１０１０の出力は、カプラ１０１２を介してアンテナ１０１４に結合される。あるいは、いくつかのインタフェースは、それら独自の個々のアンテナに結合されてもよい。更なる実施形態では、それらのインタフェースのうちの１つ以上は、有線インタフェース（ＬＡＮ接続、ファーストイーサネット（登録商標）接続、有線ＷＡＮ接続、インターネット、又はその他のインタフェースなど）を含んでもよい。
【００４１】
ユーザインタフェース１００２は、モバイルプロセッサ１００４に結合され、例えば、ラウドスピーカ１０１８、マイクロフォン１０１６、及びディスプレイ１０２０へのインタフェースを提供する。あるいは、ユーザ装置１０００は、ユーザインタフェース１００２に関して異なる構成を有してもよく、又は、ユーザインタフェース１００２は完全に省略されてもよい。
【００４２】
一実施形態では、モバイルプロセッサ１００４は、本明細書に記載された実施形態に従ってインタフェース１００６、１００８、及び１０１０の電力状態を制御する電力管理システム１０２２を実施する。あるいは、電力管理システム１０２２は、別個の回路及び／プロセッサを使用して実施されてもよい。
【００４３】
本発明の実施形態は、（スリープモードを含む）アクティブなインタフェースにメッセージを転送する一方、その他のインタフェースをオフにする方法と、アクティブなインタフェースが、オフのインタフェースに向けられたメッセージを受信し、メッセージを受信するようにオフのインタフェースを起動する方法と、オフのインタフェースへの接続要求メッセージを、ＩＰ−ｉｎ−ＩＰトンネリングを使用してカプセル化し、アクティブなインタフェースに送信する方法と、モバイルＩＰ技術又はその変形（ＰＭＩＰを含む）とは独立でありそれらと組み合わせて動作する、オフのインタフェースへの接続要求メッセージを、ＩＰ−ｉｎ−ＩＰトンネリングを使用してカプセル化し、アクティブなインタフェースに送信する方法と、オフのインタフェースに対するメッセージのアクティブなインタフェースへの転送を非アクティブにする方法と、モバイルＩＰ技術又はその変形（ＰＭＩＰを含む）とは独立でありそれらと組み合わせて動作する、オフのインタフェースに対するメッセージのアクティブなインタフェースへの転送を非アクティブにする方法とを含むが、それらに限定されない複数の特徴を含んでもよい。
【００４４】
様々な実施形態は、３ＧＰＰ、ＷｉＭＡＸ、３ＧＰＰ２、及びＷＬＡＮ製品内のコアネットワーク機能などの複数の適用例において使用されてもよい。実施形態の構成は、３ＧＰＰ、ＷｉＭＡＸ、３ＧＰＰ２、ＷＬＡＮ、又はその他のシステムのうちの少なくとも２つのインタフェースを含むモバイル局も含む。実施形態では、モバイル局は、様々な独立したネットワークと共に動作するように構成された複数のインタフェースを使用する場合でも、長いバッテリ寿命を達成することが可能である。いくつかの実施形態では、様々なインタフェースはそれら独自の個々の電力管理状態を有する。
【００４５】
本実施形態及びその利点について詳細に説明してきたが、添付の特許請求の範囲によって規定された本発明の精神及び範囲から逸脱することなく、様々な変更、置換、及び改変が本明細書で行われてもよいということを理解されたい。例えば、上述の特徴及び機能のうちの多くは、ソフトウェア、ハードウェア、ファームウェア、又はそれらの組み合わせで実施されてもよい。
【００４６】
更に、本出願の範囲は、明細書中に記載された、プロセス、機械、製造物、組成物、手段、方法、及びステップの特定の実施形態に限定されることを意図するものではない。当業者が、本発明の開示から容易に理解するであろうように、本明細書に記載された対応する実施形態と実質的に同じ機能を実行する、又は実質的に同じ結果を達成する、現在存在している、又は後に開発される、プロセス、機械、製造物、組成物、手段、方法、又はステップは、本発明に従って利用されてもよい。従って、添付の特許請求の範囲は、その範囲内に、そのようなプロセス、機械、製造物、組成物、手段、方法、又はステップを含むことを意図するものである。
本出願は、２００９年５月８日に出願された「Ｍｅｔｈｏｄ  ｔｏ  Ｒｅ−ｄｉｒｅｃｔ  Ｍｅｓｓａｇｅｓ  ｔｏ  ａｎ  Ａｃｔｉｖｅ  Ｉｎｔｅｒｆａｃｅ  ｏｆ  ａ  Ｍｕｌｔｉｐｌｅ  Ｉｎｔｅｒｆａｃｅ  Ｄｅｖｉｃｅ（複数インタフェース装置のアクティブなインタフェースにメッセージをリダイレクトする方法）」と題された米国仮特許出願第６１／１７６，８３９号、及び、４月９日に出願された「Ｓｙｓｔｅｍ  ａｎｄ  Ｍｅｔｈｏｄ  ｆｏｒ  Ｒｅｄｉｒｅｃｔｉｎｇ  Ｍｅｓｓａｇｅｓ  ｔｏ  ａｎ  Ａｃｔｉｖｅ  Ｉｎｔｅｒｆａｃｅ  ｏｆ  ａ  Ｍｕｌｔｉｐｌｅ−Ｉｎｔｅｒｆａｃｅ  Ｄｅｖｉｃｅ（複数インタフェース装置のアクティブなインタフェースにメッセージをリダイレクトするシステム及び方法）」と題された米国特許出願第１２／７５７，８０７号の優先権を主張するものであり、当該出願はそれらの全体が参照により本明細書中に援用される。
【図１】
2013169015.tif 000003
【図２】
2013169015.tif 000004
【図３】
2013169015.tif 000005
【図４】
2013169015.tif 000006
【図５】
2013169015.tif 000007
【図６】
2013169015.tif 000008
【図７】
2013169015.tif 000009
【図８】
2013169015.tif 000010
【図９】
2013169015.tif 000011
【図１０】
2013169015.tif 000012
【図１１】
2013169015.tif 000013
【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
第１のネットワーク上で動作する第１のインタフェースと、第２のネットワーク上で動作する第２のインタフェースとを含むユーザ装置を動作させる方法であって、
前記第２のインタフェースをシャットダウンすることを含み、該第２のインタフェースをシャットダウンすることは、
前記第２のインタフェースが前記第２のネットワークに、前記ユーザ装置に対するメッセージを前記第１のインタフェースに転送するよう前記第２のネットワークに要求するリダイレクト要求を送信することと、
前記第２のインタフェースを前記第２のネットワークによって到達不可能な状態にすることと、
前記第１のインタフェースを前記第１のネットワークによって到達可能な状態にすることと、を含む、
方法。
【請求項２】
前記第１のインタフェースが前記第２のネットワークから転送されたメッセージを受信することと、
前記第２のインタフェースが前記転送されたメッセージに応えて、前記第２のインタフェースが前記第２のネットワークによって到達可能な状態になることを含むオンになることと、
を更に含む、
請求項１に記載の方法。
【請求項３】
前記第１のインタフェースが前記第２のネットワークから前記転送されたメッセージを受信することは、前記第１のネットワーク及び第３のネットワークを介して、インターネットプロトコル（ＩＰ）モビリティを使用して、前記転送されたメッセージを受信することを含む、
請求項２に記載の方法。
【請求項４】
前記リダイレクト要求は、前記第１のネットワークを介して前記第１のインタフェースにメッセージを転送するよう前記第２のネットワークに更に要求する、
請求項１に記載の方法。
【請求項５】
前記第２のネットワークに前記リダイレクト要求を送信することは、バインディング要求を行うことを含む、
請求項１に記載の方法。
【請求項６】
前記第２のネットワークによって到達不可能な状態は、電源がオフにされた状態を含み、
前記第１のネットワークによって到達可能な状態は、スリープ状態を含む、
請求項１に記載の方法。
【請求項７】
無線ユーザ装置であって、
第１のネットワークと通信するように構成された第１のインタフェースと、
第２のネットワークと通信するように構成された第２のインタフェースと、
を備え、
前記第２のネットワークに、前記第１のインタフェースにメッセージを転送するよう前記第２のネットワークに要求するリダイレクト要求を送信し、
前記第２のインタフェースを前記第２のネットワークによって到達不可能な状態にし、
前記第１のインタフェースを前記第１のネットワークによって到達可能な状態にするように構成される、
無線ユーザ装置。
【請求項８】
前記無線ユーザ装置は、更に、
前記第２のネットワークからの転送されたメッセージを前記第１のインタフェースにおいて受信し、
前記転送されたメッセージに応えて前記第２のインタフェースをアクティブにするように構成される、
請求項７に記載の無線ユーザ装置。
【請求項９】
前記第２のネットワークによって到達不可能な状態は、電源がオフにされた状態を含み、
前記第１のネットワークによって到達可能な状態は、スリープ状態を含む
請求項７に記載の無線ユーザ装置。
【請求項１０】
前記無線ユーザ装置は、セルラ電話機を含む、
請求項７に記載の無線ユーザ装置。
【外国語明細書】
2013169015000001.pdf